(57)【要約】【課題】筆記初めのカスレ感、筆記性能の低下がなく、良好な筆記描線が得られるバルブ機構を備えた筆記具を提供する。【解決手段】ペン先３０とインキを収容する本体部１０の間にバルブ機構２０を備え、ペン先３０の押圧によりバルブ機構２０が開放し、本体部１０内のインキがペン先３０に誘導される筆記具Ａであって、キャップ体４０装着時にバルブ機構２０が開放される構成とする。  好ましくは、キャップ体４０の装着時、バルブ機構２０の開放とペン先３０のシールが共に行われること、または、キャップ体４０を装着する際、バルブ機構２０が開放される前に、ペン先３０のシールが行われる構成とすることが望ましい。【選択図】図１
2008265147.tif 000002
【特許請求の範囲】
【請求項１】
ペン先とインキを収容する本体部の間にバルブ機構を備え、ペン先の押圧によりバルブ機構が開放し、本体部内のインキがペン先に誘導される筆記具であって、キャップ体装着時にバルブ機構が開放されていることを特徴とする筆記具。
【請求項２】
キャップ体装着時、バルブ機構の開放とペン先のシールが共に行われることを特徴する請求項１記載の筆記具。
【請求項３】
キャップ体を装着する際、バルブ機構が開放される前、若しくは同時に、ペン先のシールが行われることを特徴する請求項１記載の筆記具。
【請求項４】
請求項１〜３の何れか一つに記載の筆記具において、二重シールを有する構造である場合、外側のシールが行われるよりも先にペン先のシールが行われることを特徴とする筆記具。
【請求項５】
インキを収容する本体部は、インキを収容するリフィール体と、該リフィール体に連結されたペン先としてのプラスチック芯とを有し、上記リフィール体に収容されるインキの後端部にはフォロア部材が充填されていることを特徴とする請求項１〜３の何れか一つに記載の筆記具。
【発明の詳細な説明】
【技術分野】
【０００１】
本発明は、ペン先とインキを収容する本体部の間にバルブ機構を備え、ペン先の押圧によりバルブ機構を開放し、本体部内のインキがペン先に誘導されるサインペン等の筆記具に関し、更に詳しくは、筆記初めのカスレ感、筆記性能の低下がなく、良好な筆記描線が得られる筆記具に関する。
【背景技術】
【０００２】
従来より、ペン先とインキを収容する本体部の間にバルブ機構を備え、ペン先の押圧によりバルブ機構を開放し、インキ室となる本体部内のインキがペン先に誘導される筆記具は、これまで、数多くの種類、構造などが知られている。
【０００３】
この種の筆記具としては、例えば、図８に示すように、ペン軸の役目を兼ねるペン型容器１ａ、口部部材１ｂ、支え板１ｃ、ペン保持筒１ｄ及びキャップ体１ｅの主部品で構成された筆記具用等のペン型液容器１において、ペン部材１ｆを復帰バネ１ｇに抗し筆記又は塗布しようとする面に押し付けると、ペン保持筒１ｄは上方に押し上げられ、シール用斜面１ｈから離れシールを開放することにより、口部部材１ｂとペン保持筒１ｄの隙間まで流下していた液がペン部材１ｆに供給される筆記具用等のペン型液容器１（例えば、特許文献１参照）や、図９に示すように、インキを収容する本体部２ａの先端にインキ流出制御機構２ｂ、筆記チップ２ｃを装着してなる筆記具２において、コイルバネ２ｄのバネ圧を筆記時の筆圧と略同圧とし、バルブ又はバルブ本体２ｅのいずれか一方に、適量のインキを、インキを収容する本体部２ａから筆記チップ２ｃへ供給するようにバルブ弁２ｆに対するバルブの開弁量を規制する規制部２ｇを設けると共に、上記バルブ２ｅの先端に対して衝合閉弁せしめる一方、筆記チップを前記バルブ先端に当接又は嵌挿連結せしめるように構成したことを特徴とするキャップ体２ｈを備えた筆記具２（例えば、特許文献２参照）が知られている。
【０００４】
しかしながら、これらの筆記具にあっては、キャップ体１ｅ，２ｈは単に装着しているのみであるので、ペン先１ｆ、２ｃからのインキの蒸発を防止することができるが、製品出荷後初筆の際又は長期間キャップ体１ｅ，２ｈをした後、筆記をすると、ペン先１ｆ、２ｃ表面のドライアップなどにより筆記時カスレが生じたりして筆記性能が落ちてしまう点に課題がある。
【０００５】
一方、バルブ機構を備えないマーキングペンン等の筆記具において、図１０に示すように、インキを貯蔵するインキ貯蔵部３ａを有する本体軸３ｂと、インキ貯蔵部３ａからインキを吐出させるように本体軸３ｂの前端側に前方に突出して装着されたペン先３ｃと、ペン先３ｃの前方突出部分を覆うように本体軸３ｂの前端側に着脱自在に装着される吸液部材３ｄを有するキャップ体３ｅとを備えたマーキングペン３（例えば、特許文献３参照）が知られている。
しかしながら、この構造のマーキングペン３にあっては、キャップ体３ｅを装着すると、ペン先３ｃの外皮部３ｃ１と吸液部材３ｄとにより、ペン先３ｃの基質部分のインキとキャップ体３ｅの空気との接触を防止するものであるが、このキャップ体３ｅ構造を、バルブ機構を備えた筆記具に適用すると、キャップ体３ｅ装着時にペン先３ｃから空気を取り込むことがあるため、再筆記しようとすると、筆記ができなかったり、筆記カスレなどが生じるなどの課題があるものである。
【特許文献１】実開昭６３−１９７６８３号公報全文（実用新案登録請求の範囲、図１等）
【特許文献２】特開平６−２８６３８６号公報（特許請求の範囲、実施例、図１等）
【特許文献３】特開２０００−２８０６８５号公報（特許請求の範囲、実施例、図１等）
【発明の開示】
【発明が解決しようとする課題】
【０００６】
本発明は、上記従来の技術の課題等について、これを解消するためになされたものであり、筆記初めのカスレ感、筆記性能の低下がなく、良好な筆記描線が得られる筆記具を提供することを目的とする。
【課題を解決するための手段】
【０００７】
本発明者らは、上記従来の課題について鋭意検討した結果、ペン先とインキを収容する本体部の間にバルブ機構を備え、ペン先の押圧によりバルブ機構が開放し、本体部内のインキがペン先に誘導される筆記具において、キャップ体装着時の筆記具の構造を特定構造となることにより、上記目的の筆記具が得られることを見い出し、本発明を完成するに至ったのである。
【０００８】
すなわち、本発明は、次の（１）〜（５）に存する。
（１）  ペン先とインキを収容する本体部の間にバルブ機構を備え、ペン先の押圧によりバルブ機構が開放し、本体部内のインキがペン先に誘導される筆記具であって、キャップ体装着時にバルブ機構が開放されていることを特徴とする筆記具。
（２）  キャップ体装着時、バルブ機構の開放とペン先のシールが共に行われることを特徴する上記（１）記載の筆記具。
（３）  キャップ体を装着する際、バルブ機構が開放される前、若しくは同時に、ペン先のシールが行われることを特徴する上記（１）記載の筆記具。
（４）  上記（１）〜（３）の何れか一つに記載の筆記具において、二重シールを有する構造である場合、外側のシールが行われるよりも先にペン先のシールが行われることを特徴とする筆記具。
（５）  インキを収容する本体部は、インキを収容するリフィール体と、該リフィール体に連結されたペン先としてのプラスチック芯とを有し、上記リフィール体に収容されるインキの後端部にはフォロア部材が充填されていることを特徴とする上記（１）〜（３）の何れか一つに記載の筆記具。
【発明の効果】
【０００９】
本発明によれば、筆記初めのカスレ感、筆記性能の低下がなく、良好な筆記描線が得られるバルブ機構を備えた筆記具が提供される。
【発明を実施するための最良の形態】
【００１０】
以下に、本発明の筆記具の実施形態を図面を参照して説明する。
図１は、本発明の実施形態の一例（第１実施形態）を示す筆記具であり、（ａ）はキャップ体装着前の状態を示す筆記具の部分縦断面図、（ｂ）はキャップ体装着後の状態を示す筆記具の部分縦断面図である。
本実施形態における筆記具Ａは、サインペンタイプの筆記具であり、図１（ａ）及び（ｂ）に示すように、インキを収容する筆記具本体となる本体部１０と、該本体部１０の先端側にバルブ機構２０とペン先３０とを備えると共に、本体部１０の先端側外周に着脱自在に嵌合するキャップ体４０を備えたものである。
【００１１】
本体部１０は、例えば、ＰＰ等からなる合成樹脂を使用して長い筒体形状に成形され、筆記具の本体（軸筒）として機能する。この本体部１０の後方は、図示しないが尾栓部が固着されている。
本体部１０内に収容するインキとしては、一般に用いられている各配合組成となる水性インキ、油性インキなどの筆記具用インキであれば、特に限定されず、サインペン用、マーキングペン用などの用途に応じた水性又は油性の液状インキが用いられる。
【００１２】
バルブ機構２０は、プラスチック芯からなるペン先３０の基端側に接する弁棒２１を、前記筆記具本体部１０の開口部１０ａに装着される筒状の弁座体２２内に摺動可能に挿入すると共に、この弁棒２１の周面に膨隆する弁部２３と弁座体２２の基部２２ａとの間に取り付けられたコイルスプリングの弾性部材２４の弾性力によって常時弁部２３を前記弁座体２２の先端側に取り付けられる弁座ゴムからなる弁座ゴム体２５に当接した構成となっている。
また、ペン先３０は、弁座体２２内に嵌合する口プラから構成される筒状の保持部材２６に装着されている。ぺン先３０は、プラスチック材の軸方向にインキ溝を形成したプラスチック芯から構成され、先端部が筆記部となるインキ流出孔３１を有する構造となっている。
【００１３】
キャップ体４０は、外筒部となるキャップ本体４１と、該キャップ本体４１内に頭頂部材４２を連結したインナーキャップ部４３と、該インナーキャップ部４３内の基部に形成されたペン先３０のインキ流出孔３１をシールするシール部４４とを有し、上記インナーキャップ部４３の開口部４３ａは弁座体２２の先端外周に着脱自在に嵌合し、キャップ本体４１の開口部４１ａは筆記具本体１０の先端外周に着脱自在に嵌合する構成となっている。
このキャップ体４０は、合成樹脂などから構成されるものであり、本実施形態では、キャップ本体４１、頭頂部材４２、インナーキャップ部４３、シール部４４はシリコン製から構成されている。
【００１４】
この筆記具Ａでは、キャップ体４０を装着せず、筆記しない場合は、図１（ａ）に示すように、弾性部材２４の弾性力によって常時弁棒２１の弁部２３が弁座ゴム部２５に当接しているので、本体部１０内のインキはペン先３０に流出しない構造となっている。また、筆記する場合は、ペン先３０を弾性部材２４の弾性力に抗して筆記面となる被対象物に押圧すると、弁棒２１は上方に押し上げられ、上記当接が解除されて筆記具本体１０内のインキが解除された隙間２７を通ってペン先３０の後方に流入し、インキ流出孔３１へ導出されて筆記に供される。
【００１５】
このように構成される本実施形態の筆記具Ａでは、キャップ体４０を装着しない場合は、上述のように〔図１（ａ）に示すように〕、常時弁棒２１の弁部２３が弁座ゴム部２５に当接し、本体部１０内のインキはペン先３０に流出しない構造となる。
キャップ体４０を筆記具本体部１０に装着すると、バルブ機構２０が開放（開弁）される構成、具体的には、バルブ機構２０の開放とペン先３０のシールが共に行われること構成となっている。具体的には、図１（ｂ）に示すように、インナーキャップ部４３内のシール部４４がペン先３０のインキ流出孔３１をシール（閉塞）すると共に、弾性部材２４の弾性力に抗してペン先３０が弁棒２１側へ若干移動し、弁棒２１が上方に押し上げられ、弁部２３の当接が解除されて筆記具本体１０内のインキが解除された隙間２７を通ってペン先３０の後方に流入し、ペン先３０はインキで満たされた状態で保存される構成となっている。また、この形態では、シール部４４は、空気が透過しない構造であるので、キャップ体４０を装着時、装着中は、ペン先３０内に空気を取り込むことがない構成となっている。
従って、この構造の筆記具Ａでは、ペン先３０はインキで満たされた状態で保存されるので、キャップ体４０を外して筆記に供すると、筆記初めのカスレ感、筆記性能の低下がなく、良好な筆記描線が得られる筆記具が得られることとなる。特に、ドライアップしやすいインキを使用しても、ペン先３０は常時良好な状態で保存できるため、更に筆記初めのカスレ感、筆記性能の低下がなく、良好な筆記描線が得られる筆記具が得られることとなる。
【００１６】
更に好ましい形態としては、キャップ体を装着する際、バルブ機構２０が開放される前、若しくは同時に、ペン先３０のシールが行われる構成、具体的には、バルブ機構２０が開放される前の場合は、キャップ体４０内蔵のシール部４４にペン先を押し当てること（キャップ体４０を本体部１０に装着する途中）でペン先３０のインキ流出孔３１をシール（閉塞）し、更に押し込むことで（キャップ体４０を本体部１０に装着すると）バルブ機構２０が開放（開弁）してペン先３０はインキで満たされた状態で保存される構成とすることが望ましい。
この形態では、ペン先が先若しくは同時にシールされることにより、キャップ体４０の脱着時のインキのボタ落ち、筆記初めのカスレ感、筆記性能の低下もなく、更に優れた筆記描線が得られる筆記具が得られることとなる。
また、この実施形態の筆記具において、二重シールを有する構造、例えば、インナーキャップ部４３の嵌合により外側となるシールが行われるよりも先にペン先３０がシール部４４でシールが行われることが好ましく、また、外キャップとなるキャップ本体４１の嵌合により外側となるシールが行われるよりも先にペン先３０がシール部４４でシールが行われることが好ましい。
【００１７】
図２は、本発明の第２実施形態を示す筆記具であり、（ａ）はキャップ体装着前、（ｂ）はキャップ体装着後の各状態を示す筆記具の部分縦断面図である。なお、上記第１実施形態と同様の構成は、同一符号を示して、その説明を省略する。
本実施形態における筆記具Ｂは、上記実施形態におけるシール部４４が空気を透過しない熱可塑性エラストマー又は弾性を有するゴム体から構成され、ペン先３０のインキ流出孔３１を被覆する形態となるシール部４４ａで構成した点で、上記実施形態の筆記具Ａと異なるものであり、筆記具Ａと同様に、機能するものである。
本実施形態における筆記具Ｂでは、シール部４４ａをシリコンで構成し、キャップ体４０を装着すると、図２（ｂ）に示すように、ペン先３０のインキ流出孔３１の周囲まで被覆する形態でシールすることができるので、キャップ体４０の装着時に、バルブ機構２０の開放とペン先３０のシール性が更に向上したものとなり、または、キャップ体４０を装着する際、バルブ機構２０が開放される前に、ペン先３０のシール性が更に向上した筆記具が得られることとなる。
【００１８】
図３及び図４は、それぞれ本発明の第３実施形態及び第４実施形態を示す筆記具であり、図３（ａ）は第３実施形態のキャップ体装着前、図３（ｂ）は第３実施形態のキャップ体装着後の各状態を示す筆記具の部分縦断面図、図４（ａ）は第４実施形態のキャップ体装着前、図４（ｂ）は第４実施形態のキャップ体装着後の各状態を示す筆記具の部分縦断面図である。なお、上記第１実施形態と同様の機能をする構成は、同一符号を示して、その説明を省略する。
本第３実施形態における筆記具Ｃは、弁棒２２の弁座部２３の構造が斜面状の弁座部２３ａとした点、弁棒２２の先端部がペン先３０と当接している点、ペン先３０を保持する保持部材２８を筆記具本体１０の先端側に固着した点、ペン先保持部材２８内に当接部材２９を内蔵した点、インナーキャップ部４３がキャップ本体４１と一体とした点で、上記実施形態の筆記具Ａと異なるものであり、筆記具Ａと同様に、機能するものである。
本第４実施形態における筆記具Ｄも、弁棒２２の弁座部２３の構造が斜面状の弁座部２３ａとした点、弁棒２２の先端部がペン先３０と当接している点、ペン先３０を保持する保持部材２８を筆記具本体１０の先端側に固着した点、ペン先保持部材２８内に当接部材２９を内蔵した点、インナーキャップ部４３がキャップ本体４１と一体とした点で、上記実施形態の筆記具Ｂと異なるものであり、筆記具Ｂと同様に、機能するものである。
【００１９】
図５及び図６は、本発明の第５実施形態を示す筆記具であり、図５（ａ）はキャップ体装着前、図５（ｂ）はキャップ体装着後の各状態を示す筆記具の部分縦断面図、図６は、キャップ体を除いた筆記具の全体構成を示す正面図である。なお、上記第１実施形態と同様の機能をする構成は、同一符号を示して、その説明を省略する。
本実施形態における筆記具Ｅは、インキを収容する本体部１０が、軸筒１５に装着されたインキＩを収容するリフィール体１１で構成された点、該リフィール体１１に収容されるインキＩの後端部にはインキＩの流出と共に追従するフォロア部材（追従体）１６が充填されると共に、後端部に尾栓１７を取り付けた点、並びに、ペン先３０の押圧により弁座ゴム部が屈曲する屈曲型の弁座ゴム部２５ａで構成した点、口金２７を取り付けた点、ペン先３０がプラスチック芯３１ｂと中芯３２とこれらを保持するペン先保持部材３３で構成した点、シール部が凹部型の熱可塑性エラストマー又は弾性を有するゴム体から構成されるシール部４４ｂで構成した点で、上記実施形態の筆記具Ａと異なるものであり、筆記具Ａと同様に、機能するものである。
【００２０】
本実施形態における筆記具Ｅにおいても、キャップ体４０を軸筒１５に装着しない場合は、図５（ａ）に示すように、常時弁棒２１の弁部２３が弁座ゴム部２５ａに当接し、本体部となるリフィール体１１のインキＩはペン先３０に流出しない構造となっており、キャップ体４０を軸筒１５に装着すると、バルブ機構２０が開放（開弁）される構成、具体的には、バルブ機構２０の開放とペン先３０のシールが共に行われること構成、または、キャップ体４０を軸筒１５に装着する際、バルブ機構２０が開放される前に、ペン先３０のシールが行われる構成となっている。
図５（ｂ）は、キャップ体４０を軸筒１５に装着する際、バルブ機構２０が開放される前に、ペン先３０（プラスチック芯３１ｂ）を被覆態様でシールが行われる構成、具体的には、キャップ体４０内蔵のシール部４４ｂにペン先３０を押し当てることでプラスチック芯３１ｂのインキ流出孔をシール（閉塞）し、更にキャップ体４０を軸筒１５に押し込むことで、バルブ機構２０が開放して（開弁、隙間２７が生じて）ペン先３０（中芯３２、プラスチック芯３１ｂ）はインキで満たされた状態で保存される構成となり、キャップ体４０の脱着時のインキのボタ落ち、筆記初めのカスレ感、筆記性能の低下もなく、更に優れた筆記描線が得られる筆記具が得られることとなる。
また、この形態の筆記具Ｅは、インキを収容する本体部が、軸筒１５に装着されたインキを収容するリフィール体１１で構成されると共に、該リフィール体１１に収容されるインキＩの後端部にインキの流出と共に追従するフォロア部材（追従体）１６が充填されているので、インキの排出が確実に行われると共に、インキを消費した場合は、リフィール体１１を交換するだけでバルブ機構２０を備えたリフィール体１１の交換が簡単に行うことができる構成となっている。
【００２１】
図７は、本発明の第６実施形態を示す筆記具であり、（ａ）はキャップ体装着前、（ｂ）はキャップ体装着後の各状態を示す筆記具の部分縦断面図である。なお、上記第５実施形態と同様の構成は、同一符号を示して、その説明を省略する。
本実施形態における筆記具Ｆは、シール部が球状型の熱可塑性エラストマー又は弾性を有するゴム体から構成されるシール部４４ｃで構成した点で、上記実施形態の筆記具Ｃと異なるものであり、筆記具Ｃと同様に、機能するものである。
【００２２】
本発明の筆記具は、上記実施形態に限定されるものではなく、本発明の技術思想の範囲内で種々の態様に変更することができる。
例えば、上記実施形態において、サインペン用の筆記具について説明したが、インキを塗布液、化粧液に代え、ペン先を塗布部材に代えることにより、塗布具に適用することができる。
【実施例】
【００２３】
次に、本発明の実施例について更に説明するが、本発明は下記実施例に限定されるものではない。
〔実施例１、サインペン、図５及び図６準拠〕
下記構成の、軸筒、リフィール体、インキ、バルブ機構、ペン先、キャップ体を用いて筆記具を作製した。
【００２４】
（１）軸筒、リフィ−ル体
軸筒：ポリプロピレン製、内径：６．０ｍｍ、長さ：１２３．０ｍｍ
リフィ−ル体：ポリプロピレン製、内径：３．５ｍｍ、長さ：１１３．０ｍｍ
（２）インキ組成（サインペン用インキ組成物、全量１００重量％）
溶剤：６０〜９５重量％
色材：５〜３０重量％
樹脂：１〜１０重量％
（３）フォロア部材（追従体、全量１００重量％）
溶剤Ｉ：０．５〜１００重量％
溶剤II：０．１〜２０重量％
【００２５】
（４）バルブ機構主要部品
弁棒：ポリプロピレン製、長さ：７．５ｍｍ
弁座ゴム体：シリコン製、大きさ：外径φ５．５ｍｍ、長さ：２．５ｍｍ
バネ受け：ポリプロピレン製、最大外径：φ６．５ｍｍ、長さ：８．０ｍｍ
（５）ペン先（ペン芯）
プラスチック芯：ポリアセタール製、外径：φ１．０ｍｍ、長さ：４．５ｍｍ
ペン先保持部材：ステンレス製、最大外径：φ３．０ｍｍ、長さ：１２．０ｍｍ
（６）キャップ体
外キャップ：ポリテレフタレート製、最大外径：φ１１．５ｍｍ、長さ：３３ｍｍ
インナーキャップ：ポリプロピレン製、最大外径：φ８．５ｍｍ、長さ：１５．５ｍｍ
シール部：シリコン製、硬度（又は弾性率等）：１５°、大きさ：φ３．５ｍｍ
【００２６】
この構成となる筆記具は、キャップ体を装着する際、バルブ機構２０が開放される前に、ペン先のシールが行われてから、バルブ機構２０が開放して、プラスチック芯３１ｂ、中芯３２がインキで満たされた状態で保存される構造となり、キャップ体４０を外して筆記に供すると、インキのボタ落ちは全くなく、筆記初めのカスレ感、筆記性能の低下もなく、筆記描線が簡単に描くことができた。
また、キャップのシール性が向上したことにより、ペン先のドライアップを抑制されたため長期保存にも有効な効果を発揮することができることが判った。
【図面の簡単な説明】
【００２７】
【図１】本発明に係る筆記具の実施形態の一例（第１実施形態）を示すものであり、（ａ）はキャップ体装着前、（ｂ）はキャップ体装着後の各状態を示す筆記具の部分縦断面図である。
【図２】本発明に係る筆記具の第２実施形態を示すものであり、（ａ）はキャップ体装着前、（ｂ）はキャップ体装着後の各状態を示す筆記具の部分縦断面図である。
【図３】本発明に係る筆記具の第３実施形態を示すものであり、（ａ）はキャップ体装着前、（ｂ）はキャップ体装着後の各状態を示す筆記具の部分縦断面図である。
【図４】本発明に係る筆記具の第４実施形態を示すものであり、（ａ）はキャップ体装着前、（ｂ）はキャップ体装着後の各状態を示す筆記具の部分縦断面図である。
【図５】本発明に係る筆記具の第５実施形態を示すものであり、（ａ）はキャップ体装着前、（ｂ）はキャップ体装着後の各状態を示す筆記具の部分縦断面図である。
【図６】本発明に係る筆記具の第５実施形態のキャップ体を除いた筆記具の全体構成を示す正面図である。
【図７】本発明に係る筆記具の第６実施形態を示すものであり、（ａ）はキャップ体装着前、（ｂ）はキャップ体装着後の各状態を示す筆記具の部分縦断面図である。
【図８】従来のバルブ機構を備えた筆記具の一例を示す部分縦断面図である。
【図９】従来のバルブ機構を備えた筆記具の他例を示す部分縦断面図である。
【図１０】従来のバルブ機構を備えた筆記具の一例を示す部分縦断面図である。
【符号の説明】
【００２８】
１０  本体部
２０  バルブ機構
３０  ペン先
４０  キャップ体
【図１】
2008265147.tif 000003
【図２】
2008265147.tif 000004
【図３】
2008265147.tif 000005
【図４】
2008265147.tif 000006
【図５】
2008265147.tif 000007
【図６】
2008265147.tif 000008
【図７】
2008265147.tif 000009
【図８】
2008265147.tif 000010
【図９】
2008265147.tif 000011
【図１０】
2008265147.tif 000012